(57)【要約】【課題】ハンドオーバによる電力消費を少なくすると共に、ハンドオーバの開始から終了までに時間がかからず基地局のインバイト信号送信までに時間を要することがない通信方法、無線通信システム、基地局装置及び移動局装置を提供する。【解決手段】第１基地局装置１２−１が移動局装置１１へ着呼を示す情報の送信に要する制御情報を送信し、制御情報が受信されていない場合、第１基地局装置１２−１から第１基地局装置が属する通信エリアの第２基地局装置１２−２へ移動局装置１１に関する情報を送信し、第２基地局装置１２−２が受信したその情報を報知チャネルで報知し、移動局装置１１が第２基地局装置１２−２からその情報を受信した場合、一の第２基地局装置１２−２に対し接続要求のための情報を送信し、接続要求のための情報を受信した第２基地局装置１２−２から着呼を示す情報を移動局装置１１へ送信する。【選択図】図１
2008211621.tif 000002
【特許請求の範囲】
【請求項１】
移動局装置に無線接続された第１基地局装置が、前記移動局装置へ、着呼を示す情報の送信に要する制御情報を送信するステップと、
前記制御情報が、前記移動局装置で受信されたか否かを判断するステップと、
前記判断の結果、前記移動局装置において、前記制御情報が受信されていない場合には、前記第１基地局装置から、当該第１基地局装置が属する通信エリアの第２基地局装置へ、前記移動局装置に関する情報を送信するステップと、
前記第２基地局装置が、前記移動局装置に関する情報を受信し、当該受信した情報を、報知チャネルで報知するステップと、
前記移動局装置が、前記第２基地局装置から当該移動局装置に関する情報を受信した場合には、一の前記第２基地局装置に対して接続要求のための情報を送信するステップと、
前記第２基地局装置が、前記接続要求のための情報を受信した場合には、当該第２基地局装置から、前記着呼を示す情報を前記移動局装置へ送信するステップと、
を含むことを特徴とする通信方法。
【請求項２】
前記接続要求するステップでは、前記移動局装置から前記第２基地局装置へ、当該移動局装置の認証用情報を送信するステップと、
前記移動局装置の認証用情報を受信した第２基地局装置が、当該情報に基づいて、前記移動局装置が正当な移動局装置であるか否かを認証するステップと、を更に含み、
前記認証の結果、前記移動局装置が正当な移動局装置である場合には、前記接続要求された前記第２基地局装置が、前記着信を示す情報を前記移動局装置へ送信する、
ことを特徴とする請求項１に記載の通信方法。
【請求項３】
前記接続要求された前記第２基地局装置が、前記着信を示す情報を前記移動局装置へ送信した後で、前記移動局装置と前記第２基地局装置との無線接続を確立する、ことを特徴とする請求項１または２に記載の通信方法。
【請求項４】
移動局装置と、当該移動局装置に無線接続される基地局装置と、前記基地局装置に通信網を介して接続された、前記移動局装置の着呼を示す情報を前記基地局装置側へ送信する中間装置と、を備えた無線通信システムにおいて、
第１の前記基地局装置は、
前記移動局装置へ、前記着呼を示す情報の送信に要する制御情報を送信する制御情報送信手段と、
前記制御情報が、前記移動局装置で受信されたか否かを判断する判断手段と、
前記判断の結果、前記移動局装置において、前記制御情報が受信されていない場合には、当該第１の基地局装置が属する通信エリアの第２の前記基地局装置へ、前記移動局装置に関する情報を送信する移動局装置情報送信手段と、を備え、
前記第２の基地局装置は、
前記第１の基地局装置から前記移動局装置に関する情報を受信する第１の移動局装置情報受信手段と、
前記移動局装置情報受信手段で受信した前記移動局装置に関する情報を、報知チャネルで報知する報知手段と、を備え、
前記移動局装置は、
前記報知チャネルで報知された当該移動局装置に関する情報を受信する第２の移動局装置情報受信手段と、
前記第２の移動局装置情報受信手段で前記移動局装置に関する情報を受信した場合には、一の前記第２の基地局装置に対して接続要求のための情報を送信する接続要求手段と、を備え、
前記第２の基地局装置は、
前記移動局装置から前記接続要求のための情報を受信する接続要求情報受信手段と、
前記第２受信手段によって、前記接続要求のための情報を受信した場合には、前記着呼を示す情報を前記移動局装置へ送信する着呼情報送信手段と、を更に含む
ことを特徴とする無線通信システム。
【請求項５】
移動局装置の着呼を示す情報を、通信網を介して接続された中間装置より受信し、当該受信した移動局装置の着呼を示す情報を、当該移動局装置へ送信する基地局装置において、
当該基地局装置が属する通信エリアの他の基地局装置から、前記移動局装置に関する情報を受信する移動局装置情報受信手段と、
前記移動局装置情報受信手段で受信した前記移動局装置に関する情報を、報知チャネルで報知する報知手段と、
前記報知に基づいて前記移動局装置から送信された接続要求のための情報を受信する接続要求情報受信手段と、
前記接続要求情報受信手段によって、前記接続要求のための情報を受信した場合には、前記着呼を示す情報を前記移動局装置へ送信する着呼情報送信手段と、
を含むことを特徴とする基地局装置。
【請求項６】
移動局装置において、
第１の基地局装置との無線接続が切断した場合、当該第１の基地局装置の通信エリアの第２の基地局装置から、当該移動局装置に関する情報を受信する移動局装置情報受信手段と、
前記移動局装置情報受信手段で前記移動局装置に関する情報を受信した場合には、一の前記第２の基地局装置に対して接続要求のための情報を送信する接続要求手段と、
前記接続要求のための情報の送信の結果、前記第２の基地局装置から送信された前記着呼を示す情報を受信する着呼情報受信手段と、
を備えることを特徴とする移動局装置。
【発明の詳細な説明】
【技術分野】
【０００１】
この発明は、移動体通信における、通信方法、無線通信システム、無線通信システムの基地局装置及び移動局装置に関する。
【背景技術】
【０００２】
移動体通信において、端末装置が、現在接続している基地局のエリア外に移動した場合、当該端末装置に向けて着呼があると、当該着呼があったことを示す情報（ＩＮＶＩＴＥ）については、当該端末装置が移動先となる基地局へ接続要求を行い、当該要求に基づいて基地局へ登録（レジストレーション）した（ハンドオーバ処理）後、当該移動先となる基地局から制御チャネル（ＰＣＨ）によって送信されている。
【０００３】
即ち、通常のページングでは、現在、レジストレーションしているユーザターミナル（Ｕｓｅｒ  Ｔｅｒｍｉｎａｌ：ＵＴ）に対してのみページチャネル（Ｐａｇｅ  ＣＨａｎｎｅｌ：ＰＣＨ）が送信される。レジストレーションすることにより、ＵＴとＰＤＳＮ（Ｐａｃｋｅｔ  Ｄａｔａ  Ｓｅｒｖｉｎｇ  Ｎｏｄｅ）の間にＰＰＰ（Ｐｏｉｎｔ−ｔｏ−Ｐｏｉｎｔ  Ｐｒｏｔｏｃｏｌ）セッションが確立され、ＳＩＰ（Ｓｅｓｓｉｏｎ  Ｉｎｉｔｉａｔｉｏｎ  Ｐｒｏｔｏｃｏｌ）を含むあらゆるＩＰ（Ｉｎｔｅｒｎｅｔ  Ｐｒｏｔｏｃｏｌ）パケットがＩＰネットワークからＵＴに到達することが可能になる。
従って、ＵＴがある基地局（Ｂａｓｅ  Ｓｔａｔｉｏｎ：ＢＳ）のサービスエリアから他のＢＳのサービスエリアに移動した場合、移動先のＢＳに再レジストレーションし、ＩＰパケットのルーティングを移動先のＢＳに変更する処理、所謂、接続するＢＳを切り替えるハンドオーバが必要であった。
【０００４】
また、端末装置が、現在接続している基地局のエリアの境にいるような状況下では、端末装置のハンドオーバが頻発するが、このような場合においても、当該端末装置に向けて着呼があれば、先ず、端末装置のハンドオーバが実行されてから、ハンドオーバ先の基地局からインバイト信号（ＩＮＶＩＴＥ）が端末装置へ送信される。
このように、接続するＢＳ、即ち、アクセスポイントを切り替えるものとして、例えば、「無線通信方法、モバイルＩＰ端末、インテリジェントスイッチ及びアクセスルータ」（特許文献１参照）が知られている。
【特許文献１】特開２００６−０８７０７８号公報
【発明の開示】
【発明が解決しようとする課題】
【０００５】
上述したように、サービスエリアの外に出たＵＴは、そのＰＣＨを受信できないため、ＶｏＩＰ（Ｖｏｉｃｅ  ｏｖｅｒ  Ｉｎｔｅｒｎｅｔ  Ｐｒｏｔｏｃｏｌ）におけるＳＩＰのＩＮＶＩＴＥを受信することができず、着呼ができなかった。このため、あるＢＳのサービスエリアの外に出たＵＴは、前述のように必ずハンドオーバを実施する必要があった。
しかしながら、ハンドオーバを行う場合、ハンドオーバには時間を要するため、基地局からのＩＮＶＩＴＥ送信が遅れ、通話開始が遅延することになる。因みに、従来の「無線通信方法、モバイルＩＰ端末、インテリジェントスイッチ及びアクセスルータ」（特許文献１参照）においてハンドオーバ処理を実施する場合、ハンドオーバ開始からハンドオーバ終了までには、認証等の処理が行われるために非常に時間がかかり（この例では、数１００ｍｓ）、ＢＳのＩＮＶＩＴＥ送信までに時間を要していた（特許文献１、図４参照）。
【０００６】
また、上述した状況においては、ハンドオーバが頻繁に発生し、端末装置の電力を大きく消費してしまうことになる。
この発明の目的は、ハンドオーバによる電力消費を少なくすると共に、ハンドオーバの開始から終了までに時間がかからず基地局のインバイト信号送信までに時間を要することがない通信方法、無線通信システム、基地局装置及び移動局装置を提供することである。
【課題を解決するための手段】
【０００７】
上記目的を達成するため、この発明に係る通信方法は、移動局装置に無線接続された第１基地局装置が、前記移動局装置へ、着呼を示す情報の送信に要する制御情報を送信するステップと、前記制御情報が、前記移動局装置で受信されたか否かを判断するステップと、前記判断の結果、前記移動局装置において、前記制御情報が受信されていない場合には、前記第１基地局装置から、当該第１基地局装置が属する通信エリアの第２基地局装置へ、前記移動局装置に関する情報を送信するステップと、前記第２基地局装置が、前記移動局装置に関する情報を受信し、当該受信した情報を、報知チャネルで報知するステップと、前記移動局装置が、前記第２基地局装置から当該移動局装置に関する情報を受信した場合には、一の前記第２基地局装置に対して接続要求のための情報を送信するステップと、前記第２基地局装置が、前記接続要求のための情報を受信した場合には、当該第２基地局装置から、前記着呼を示す情報を前記移動局装置へ送信するステップと、を含むことを特徴としている。
【０００８】
また、この発明は、前記接続要求するステップでは、前記移動局装置から前記第２基地局装置へ、当該移動局装置の認証用情報を送信するステップと、前記移動局装置の認証用情報を受信した第２基地局装置が、当該情報に基づいて、前記移動局装置が正当な移動局装置であるか否かを認証するステップと、を更に含み、前記認証の結果、前記移動局装置が正当な移動局装置である場合には、前記接続要求された前記第２基地局装置が、前記着信を示す情報を前記移動局装置へ送信する、ことが好ましい。
また、この発明は、前記接続要求された前記第２基地局装置が、前記着信を示す情報を前記移動局装置へ送信した後で、前記移動局装置と前記第２基地局装置との無線接続を確立する、ことが好ましい。
【０００９】
また、この発明に係る無線通信システムは、移動局装置と、当該移動局装置に無線接続される基地局装置と、前記基地局装置に通信網を介して接続された、前記移動局装置の着呼を示す情報を前記基地局装置側へ送信する中間装置と、を備えた無線通信システムにおいて、第１の前記基地局装置は、前記移動局装置へ、前記着呼を示す情報の送信に要する制御情報を送信する制御情報送信手段と、前記制御情報が、前記移動局装置で受信されたか否かを判断する判断手段と、前記判断の結果、前記移動局装置において、前記制御情報が受信されていない場合には、当該第１の基地局装置が属する通信エリアの第２の前記基地局装置へ、前記移動局装置に関する情報を送信する移動局装置情報送信手段と、を備え、前記第２の基地局装置は、前記第１の基地局装置から前記移動局装置に関する情報を受信する第１の移動局装置情報受信手段と、前記移動局装置情報受信手段で受信した前記移動局装置に関する情報を、報知チャネルで報知する報知手段と、を備え、前記移動局装置は、前記報知チャネルで報知された当該移動局装置に関する情報を受信する第２の移動局装置情報受信手段と、前記第２の移動局装置情報受信手段で前記移動局装置に関する情報を受信した場合には、一の前記第２の基地局装置に対して接続要求のための情報を送信する接続要求手段と、を備え、前記第２の基地局装置は、前記移動局装置から前記接続要求のための情報を受信する接続要求情報受信手段と、前記第２受信手段によって、前記接続要求のための情報を受信した場合には、前記着呼を示す情報を前記移動局装置へ送信する着呼情報送信手段と、を更に含むことを特徴としている。
【００１０】
また、この発明に係る基地局装置は、移動局装置の着呼を示す情報を、通信網を介して接続された中間装置より受信し、当該受信した移動局装置の着呼を示す情報を、当該移動局装置へ送信する基地局装置において、当該基地局装置が属する通信エリアの他の基地局装置から、前記移動局装置に関する情報を受信する移動局装置情報受信手段と、前記移動局装置情報受信手段で受信した前記移動局装置に関する情報を、報知チャネルで報知する報知手段と、前記報知に基づいて前記移動局装置から送信された接続要求のための情報を受信する接続要求情報受信手段と、前記接続要求情報受信手段によって、前記接続要求のための情報を受信した場合には、前記着呼を示す情報を前記移動局装置へ送信する着呼情報送信手段と、を含むことを特徴としている。
【００１１】
また、この発明に係る移動局装置は、移動局装置において、第１の基地局装置との無線接続が切断した場合、当該第１の基地局装置の通信エリアの第２の基地局装置から、当該移動局装置に関する情報を受信する移動局装置情報受信手段と、前記移動局装置情報受信手段で前記移動局装置に関する情報を受信した場合には、一の前記第２の基地局装置に対して接続要求のための情報を送信する接続要求手段と、前記接続要求のための情報の送信の結果、前記第２の基地局装置から送信された前記着呼を示す情報を受信する着呼情報受信手段と、を備えることを特徴としている。
【発明の効果】
【００１２】
この発明によれば、ハンドオーバが頻繁に発生しないので、電力を大きく消費することがなく、また、ハンドオーバの開始から終了までに時間がかからないので基地局のインバイト信号送信までに時間を要することがない。
【発明を実施するための最良の形態】
【００１３】
以下、この発明を実施するための最良の形態について図面を参照して説明する。
図１は、この発明の一実施の形態に係る無線通信システムを模式的に示す説明図である。図１に示すように、無線通信システム１０は、移動局装置１１、移動局装置１１に無線接続される基地局装置（ＢＳ）１２、基地局装置１２にＩＰネットワーク（通信網）１３を介して接続された、中間装置であるＳＩＰサーバ（Ｃａｌｌ  Ｓｅｓｓｉｏｎ  Ｃｏｎｔｒｏｌ  Ｆｕｎｃｔｉｏｎ：ＣＳＣＦ）１４を備えている。ここで、移動局装置１１は、例えば、ＶｏＩＰフォンやＶｏＩＰ携帯電話機等の携帯端末装置である。
【００１４】
基地局装置１２は、第１基地局装置（ＢＳ＃１）１２−１、第２基地局装置（ＢＳ＃２）１２−２、………第ｎ基地局装置（ＢＳ＃ｎ）１２−ｎと、複数箇所に設置されている。ＳＩＰサーバ１４は、移動局装置１１の着呼を示す情報であるインバイト信号（ＩＮＶＩＴＥ）を基地局装置１２側へ送信する。
図２は、図１の基地局装置の構成を示す機能ブロック図である。図２に示すように、基地局装置１２は、制御情報送信部（制御情報送信手段）１５、判断部（判断手段）１６、移動局装置情報送信部（移動局装置情報送信手段）１７、第１の移動局装置情報受信部（第１の移動局装置情報受信手段）１８、報知部（報知手段）１９、接続要求情報受信部（接続要求情報受信手段）２０、着呼情報送信部（着呼情報送信手段）２１、及び制御部２２を有している。
【００１５】
制御情報送信部１５は、移動局装置１１へ、着呼を示す情報の送信に要する制御情報を送信する。判断部１６は、制御情報が、移動局装置１１で受信されたか否かを判断する。移動局装置情報送信部１７は、判断部１６での判断の結果、移動局装置１１において、制御情報が受信されていない場合には、第１の基地局装置１２が属する通信エリアの第２の基地局装置１２へ、移動局装置１１に関する情報を送信する。移動局装置１１に関する情報とは、例えば、移動局装置１１のＩＤ情報等のページング情報メッセージである。
【００１６】
第１の移動局装置情報受信部１８は、第１の基地局装置１２から移動局装置１１に関する情報を受信する。報知部１９は、第１の移動局装置情報受信部１８で受信した移動局装置１１に関する情報を、報知チャネル（Ｂｒｏａｄｃａｓｔ  ＣＨａｎｎｅｌ：ＢＣＨ）で報知する。接続要求情報受信部２０は、移動局装置１１から接続要求のための情報を受信する。着呼情報送信部２１は、後述する移動局装置１１の第２の移動局装置情報受信部２２（図３参照）によって、接続要求のための情報を受信した場合には、着呼を示す情報を移動局装置１１へ送信する。制御部２２は、基地局装置１２を構成する各機能部の動作を制御する。
【００１７】
この基地局装置１２は、移動局装置１１の着呼を示す情報（ＩＮＶＩＴＥ）を、ＩＰネットワーク１３を介して接続されたＳＩＰサーバ１４より受信し、当該受信した移動局装置１１の着呼を示す情報を、当該移動局装置１１へ送信する。
図３は、図１の移動局装置の構成を示す機能ブロック図である。図３に示すように、移動局装置１１は、第２の移動局装置情報受信部（第２の移動局装置情報受信手段）２３、接続要求部（接続要求手段）２４、着呼情報受信部２５、及び制御部２６を有している。
【００１８】
第２の移動局装置情報受信部２３は、報知チャネルで報知された移動局装置１１に関する情報を受信する。接続要求部２４は、第２の移動局装置情報受信部２３で移動局装置１１に関する情報を受信した場合には、一の第２の基地局装置１２に対して接続要求のための情報を送信する。接続要求のための情報とは、ＵＴ証明書付きのＲＡ（Ｒａｎｄｏｍ  Ａｃｃｅｓｓ）情報である。着呼情報受信部２５は、接続要求のための情報の送信の結果、第２の基地局装置１２から送信された着呼を示す情報を受信する。制御部２６は、移動局装置１１を構成する各機能部の動作を制御する。
次に、この発明に係る無線通信方法におけるＩＮＶＩＴＥ送信までの流れを説明する。この説明では、前提として、移動局装置（ＵＴ）１１はレジストレーションしているＢＳ１２のエリア外に移動したにも拘わらずハンドオーバを行っていない場合を想定する。
【００１９】
図１に示すように、当該移動局装置１１が、ＳＩＰによるＶｏＩＰの登録を、レジストレーションしているＢＳ（ＢＳ＃１）１２−１を介して行った場合、当該移動局装置１１に対するＩＮＶＩＴＥパケットは、ＩＰネットワーク１３のルーティングが当該ＢＳ１２−１に経路が張られているため、当該ＢＳ１２−１に到着する。
当該ＢＳ１２−１は、ＩＮＶＩＴＥパケットを受信すると、通常のＩＰパケットと同様、移動局装置１１に対して制御情報用チャネル（ＰＣＨ）を送信し、トラフィックチャネル（Ｔｒａｆｆｉｃ  ＣＨａｎｎｅｌ：ＴＣＨ）の接続を要求する。しかしながら、当該移動局装置１１は、当該ＢＳ１２−１のエリア外に移動しているため、このＰＣＨを受信することができない。
【００２０】
このような場合、この発明では、当該ＢＳ１２−１が近傍の他のＢＳ（ＢＳ＃２〜ＢＳ＃ｎ）１２−２〜１２−ｎに対して、当該移動局装置１１のＵＴＩＤ情報を含む「ページング情報メッセージ」、即ち、移動局装置に関する情報を送信する。
送信された「ページング情報メッセージ」を受信した、当該ＢＳ１２−１の近傍の他のＢＳ１２−２〜ＢＳ１２−ｎは、ＢＣＨ（Ｂｒｏａｄｃａｓｔ  ＣＨａｎｎｅｌ）に新たに設けられた「ページング情報」に、当該移動局装置１１のＵＴＩＤ情報を付加して、ＢＣＨの送信を行う。
【００２１】
当該移動局装置１１のＵＴＩＤ情報を付加したＢＣＨの送信後、当該移動局装置１１は、自ＵＴＩＤ情報が「ページングエリア」に含まれるＢＣＨを受信すると、その時点で接続可能な最も適切なＢＳ１２に対して、ＲＡ情報である「ＲＡｒｔｓ（ランダムアクセスリクエストストリーム）」を送信する。
ここで、当該移動局装置１１は、このＢＳ１２に対してレジストレーションしていないため、通常は、レジストレーションするためにＲＡ情報である「ＲＡｒｅｇ（ランダムアクセスレジストレーション）」を送信するが、一刻も早くＳＩＰを完了する必要があることから、直ぐにＴＣＨ接続可能な「ＲＡｒｔｓ」を送信する。また、この「ＲＡｃｔｓ」には、移動局装置証明書（ＵＴ証明書）が含まれており、当該ＵＴの認証も可能であるため、即時、ＴＣＨ接続が可能であるばかりでなく、成り済まし等の防止も可能なのでセキュリティ対策も必要としない。
【００２２】
「ＲＡｒｔｓ」を受信したＢＳ１２は、それに付加されているＵＴ証明書の認証を行い、問題が無ければ、「ＡＡ（アクセスアサインメント）」を返し、続けてＴＣＨで「ＩＮＶＩＴＥ」を送信する。
このように、当該移動局装置１１は、当該ＢＳ１２−１の近傍の他のＢＳ１２−２〜ＢＳ１２−ｎからのＢＣＨ、即ち、ページング情報を受信するまで、ハンドオーバ（Ｈ／Ｏ）しない。
次に、図１の無線通信システムにおける無線通信方法について説明する。
【００２３】
上述したように、移動局装置（ＵＴ）１１はレジストレーションしているＢＳ１２のエリア外に移動したにも拘わらずハンドオーバを行っていない状態にある。このため、当該移動局装置１１が、ＳＩＰによるＶｏＩＰの登録を、レジストレーションしているＢＳ（ＢＳ＃１）１２−１を介して行った場合、当該移動局装置１１に対するＩＮＶＩＴＥパケットは、当該ＢＳ１２−１（第１基地局装置）に到着する。
図４は、図１の無線通信システムにおける無線通信の処理の流れを示すフローチャートである。図４に示すように、先ず、移動局装置１１に無線接続されたＢＳ１２−１が、移動局装置１１へ、着呼を示す情報（ＩＮＶＩＴＥ）の送信に要する制御情報を送信する。つまり、ＰＣＨによる制御情報の送信を行う（ステップＳ１０１）。
【００２４】
次に、送信された制御情報が、移動局装置１１で受信されたか否かを判断する（ステップＳ１０２）。判断の結果、移動局装置１１において制御情報が受信されている（ｙｅｓ）場合、移動局装置１１はレジストレーションしているＢＳ１２−１と無線接続された状態にあり、処理を終了する。一方、移動局装置１１において制御情報が受信されていない（ｎｏ）場合、ＢＳ１２−１から、当該ＢＳ１２−１が属する通信エリアのＢＳ１２−２（第２基地局装置）へ、移動局装置１１に関する情報、即ち、ページング情報メッセージ（移動局装置１１のＩＤ情報）を送信する（ステップＳ１０３）。
次に、ＢＳ１２−２が、移動局装置１１に関する情報を受信すると、ＢＳ１２−２は、当該受信した情報を、報知チャネル（ＢＣＨ）で、移動局装置１１に報知する（ステップＳ１０４）。
【００２５】
移動局装置１１が、ＢＳ１２−２から当該移動局装置１１に関する情報を受信した場合、当該ＢＳ１２−１の近傍の他のＢＳの一つであるＢＳ１２−２（一の第２基地局装置）に対して、接続要求のための情報であるＲＡを送信する（ステップＳ１０５）。
ＢＳ１２−２が、接続要求のための情報であるＲＡを受信した場合、ＢＳ１２−２から、着呼を示す情報（ＩＮＶＩＴＥ）を移動局装置１１へ送信する（ステップＳ１０６）。
なお、移動局装置１１がＢＳ１２−２に対して接続要求する（ステップＳ１０５）場合において、移動局装置１１が正当な移動局装置であることの認証を行っても良い。
【００２６】
図５は、移動局装置が正当な移動局装置であることの認証を行う場合の処理の流れを示すフローチャートである。図５に示すように、移動局装置１１がＢＳ１２−２に対して接続要求する場合、先ず、移動局装置１１からＢＳ１２−２へ、当該移動局装置１１の認証用情報、即ち、ＵＴ証明書付きＲＡを送信する（ステップＳ２０１）。次に、移動局装置１１の認証用情報、即ち、ＵＴ証明書付きＲＡを受信したＢＳ１２−２が、当該情報に基づいて、移動局装置１１が正当な移動局装置であるか否かを認証する（ステップＳ２０２）。
この認証の結果、移動局装置１１が正当な移動局装置である（ｙｅｓ）場合には、接続要求されたＢＳ１２−２が、着呼を示す情報（ＩＮＶＩＴＥ）を移動局装置１１へ送信する（ステップＳ２０３）。
【００２７】
次に、着呼を示す情報を移動局装置１１へ送信した後に、移動局装置１１と接続要求されたＢＳ１２−２との無線接続を確立する（ステップＳ２０４）。
一方、認証の結果、正当な移動局装置でない（ｎｏ）場合には、処理を終了する。
この発明では、レジストレーションしているＢＳのサービスエリアから移動したＵＴが移動先ＢＳにハンドオーバをしなくても、当該ＵＴに着呼があることをＢＣＨに情報として付加することにより、ＵＴは、常にハンドオーバをする必要が無くなり、ＶｏＩＰ携帯端末等の消費電力をできる限り抑えたいＵＴに対して有効である。
【００２８】
また、この方式により、ハンドオーバする場合、ＵＴの簡易認証をすることにより、従来の方式に比べて、ＢＳがＩＮＶＩＴＥを送信するまでの時間を数十分の一程度に抑えることができる。つまり、従来、先ず、ＵＴがＢＳの認証を行う際に数百ｍｓの計算時間を必要とし、続いて、ＢＳがＵＴの認証を行う際に数百ｍｓの計算時間を必要としていたのに対し、この発明にあっては、ＵＴからＵＴ証明書付きＲＡを受け取ったＢＳが認証を行う場合、ＵＴ証明書に基づき数十ｍｓの計算時間で終了する。この場合、通常の認証は、ＩＮＶＩＴＥ送信直後に行われるため、安全性に問題はない。
なお、本発明は、上述した実施の形態により説明したが、この実施の形態に限定されるものではない。従って、本発明の趣旨を逸脱することなく変更態様として実施するものも含むものである。
【図面の簡単な説明】
【００２９】
【図１】この発明の一実施の形態に係る無線通信システムを模式的に示す説明図である。
【図２】図１の基地局装置の構成を示す機能ブロック図である。
【図３】図１の移動局装置の構成を示す機能ブロック図である。
【図４】図１の無線通信システムにおける無線通信の処理の流れを示すフローチャートである。
【図５】移動局装置が正当な移動局装置であることの認証を行う場合の処理の流れを示すフローチャートである。
【符号の説明】
【００３０】
１０  無線通信システム
１１  移動局装置
１２  基地局装置
１３  ＩＰネットワーク
１４  ＳＩＰサーバ
１２−１  第１基地局装置（ＢＳ＃１）
１２−２  第２基地局装置（ＢＳ＃２）
１２−ｎ  第ｎ基地局装置（ＢＳ＃ｎ）
１５  制御情報送信部
１６  判断部
１７  移動局装置情報送信部
１８  第１の移動局装置情報受信部
１９  報知部
２０  接続要求情報受信部
２１  着呼情報送信部
２２，２６  制御部
２３  第２の移動局装置情報受信部
２４  接続要求部
２５  着呼情報受信部
【図１】
2008211621.tif 000003
【図２】
2008211621.tif 000004
【図３】
2008211621.tif 000005
【図４】
2008211621.tif 000006
【図５】
2008211621.tif 000007